(57)【要約】【課題】表示画面を鮮明に表示可能とし、かつ、製造コストの高騰および装置の大形化を回避しつつ、電源スイッチの操作が受理されたか否かを確実に認識させ得る背面投射型表示装置を提供する。【解決手段】光源ランプ３から射出された光を光変調してその背面側から投射してスクリーン６に表示画面を表示可能に構成されたテレビジョン装置１であって、光源ランプ３よりも点灯開始時の輝度の上昇率が大きく、かつ、射出した投射光Ｌｓが液晶ライトバルブ４を通過せずにスクリーン６の背面側に到達可能に設置された補助灯１３ａと、電源投入時に光源ランプ３および補助灯１３ａの双方を点灯させると共に、光源ランプ３の輝度がスクリーン６に表示画面を投射表示可能な輝度に達する以前に補助灯１３ａを消灯させる制御部（主制御部１４および補助灯駆動回路１３）とを備えている。【選択図】        図１
2004271726.tif 000002
【特許請求の範囲】
【請求項１】
光源ランプから射出された光を光変調手段によって光変調してその背面側から投射してスクリーンに表示画面を表示可能に構成された背面投射型表示装置であって、
前記光源ランプよりも点灯開始時の輝度の上昇率が大きく、かつ、射出した光が前記光変調手段を通過せずに前記スクリーンの背面側に到達可能に設置された補助灯と、前記光源ランプおよび前記補助灯の点灯を制御する制御部とを備え、
前記制御部は、当該背面投射型表示装置の電源投入時に前記光源ランプおよび前記補助灯の双方を点灯させると共に、前記光源ランプの輝度が前記スクリーンに前記表示画面を投射表示可能な輝度に達する以前に当該補助灯を消灯させる背面投射型表示装置。
【請求項２】
光源ランプから射出された光を光変調手段によって光変調してその背面側から投射してスクリーンに表示画面を表示可能に構成された背面投射型表示装置であって、
前記光源ランプよりも点灯開始時の輝度の上昇率が大きく、かつ、射出した光が前記光変調手段を通過せずに前記スクリーンの背面側に到達可能に設置された補助灯と、前記光源ランプおよび前記補助灯の点灯を制御する制御部とを備え、
前記制御部は、当該背面投射型表示装置の電源投入時に前記光源ランプおよび前記補助灯の双方を点灯させると共に、前記光源ランプの輝度が前記スクリーンに前記表示画面を投射表示可能な輝度に達した後に当該補助灯を消灯させる背面投射型表示装置。
【請求項３】
前記制御部は、前記補助灯を点灯させてから消灯させるまでの間に当該補助灯の輝度を徐々に低下させる請求項１または２記載の背面投射型表示装置。
【発明の詳細な説明】
【０００１】
【発明の属する技術分野】
本発明は、光源ランプから射出された光を光変調してスクリーンに表示画面を表示可能に構成された背面投射型表示装置に関するものである。
【０００２】
【従来の技術】
この種の背面投射型表示装置として、出願人は、特開２００２−１３９７９４号公報に背面投射型表示装置（１０）を開示している。この背面投射型表示装置は、高圧水銀ランプやメタルハライドランプ等からなる光源（２１）を有して赤色光、緑色光および青色光を射出する光発生手段（２０）と、光発生手段によって射出された光を光変調する光変調装置（３０Ｒ，３０Ｇ，３０Ｂ）と、光変調装置によって光変調された光を拡大するためのレンズ等からなる投写光学系（４０Ｒ，４０Ｇ，４０Ｂ）と、投写光学系によって拡大された光を反射する反射ミラー（５１，５２）と、反射ミラーによって反射された光を受光して各種の表示画面を投射表示可能に構成された背面投射型のスクリーン（６０）とを備えている。この背面投射型表示装置では、利用者によって電源スイッチが操作されて電源が投入された際に、光発生手段に対する通電が開始されて光源が点灯させられる。次に、光発生手段によって射出された光が光変調装置によって光変調されて、投写光学系および反射ミラーを経てスクリーンに背面側から投射される。これにより、光変調装置による光変調に応じた表示画面がスクリーンに投射表示される。
【０００３】
【特許文献１】
特開２００２−１３９７９４号公報（第４−６頁）
【０００４】
【発明が解決しようとする課題】
ところが、この背面投射型表示装置には、以下の改善すべき課題がある。すなわち、この背面投射型表示装置では、光源として高圧水銀ランプやメタルハライドランプ等が採用されている。この場合、高圧水銀ランプやメタルハライドランプは、通電が開始されてから、表示画面の投射表示が可能な程度に輝度が上昇するまでに、数十秒から数分程度の時間を要する。したがって、利用者によって電源スイッチが操作されてから暫くの間は、表示画面がスクリーンに投射表示されない状態となる。このため、この背面投射型表示装置では、電源スイッチを操作した際に、その操作が背面投射型表示装置によって受理されたか否かを認識させるのが困難であり、これを改善するのが好ましい。この場合、高圧水銀ランプなどに代えて、点灯開始時の輝度上昇率が大きいランプ（ハロゲンランプなど）を投射表示用の光源として採用することによって電源スイッチを操作した直後から表示画面を投射表示可能とする構成を採用することも考えられる。しかし、輝度上昇率が大きいこの種のランプは、一般的に、高圧水銀ランプなどと比較して低輝度のため、表示画面を鮮明に投射表示するのが困難となる。一方、例えば高圧水銀ランプおよびハロゲンランプの２つのランプを配設して電源投入時に両ランプを点灯させ、高圧水銀ランプの輝度が上昇するまでハロゲンランプによって射出された光を投射表示に使用する構成を採用することも考えられる。しかし、両ランプによって射出された光を光変調装置や投写光学系にそれぞれ案内するためのプリズムや反射ミラーなどが必要となるため、これらの部品コストに起因して表示装置の製造コストが高騰すると共に、表示装置が全体として大形化するという問題が発生する。
【０００５】
本発明は、かかる改善すべき課題に鑑みてなされたものであり、表示画面を鮮明に表示可能とし、かつ、製造コストの高騰および装置の大形化を回避しつつ、電源スイッチの操作が受理されたか否かを確実に認識させ得る背面投射型表示装置を提供することを主目的とする。
【０００６】
【課題を解決するための手段】
上記目的を達成すべく本発明に係る背面投射型表示装置は、光源ランプから射出された光を光変調手段によって光変調してその背面側から投射してスクリーンに表示画面を表示可能に構成された背面投射型表示装置であって、前記光源ランプよりも点灯開始時の輝度の上昇率が大きく、かつ、射出した光が前記光変調手段を通過せずに前記スクリーンの背面側に到達可能に設置された補助灯と、前記光源ランプおよび前記補助灯の点灯を制御する制御部とを備え、前記制御部は、当該背面投射型表示装置の電源投入時に前記光源ランプおよび前記補助灯の双方を点灯させると共に、前記光源ランプの輝度が前記スクリーンに前記表示画面を投射表示可能な輝度に達する以前に当該補助灯を消灯させる。
【０００７】
この背面投射型表示装置では、制御部が、電源投入時において、光源ランプおよび補助灯の双方を点灯させる。この場合、補助灯の点灯開始時の輝度上昇率が光源ランプよりも大きいため、電源投入直後から補助灯によって射出された光がスクリーンに投射される。したがって、電源スイッチの操作が正常に受理されたことを利用者に確実かつ迅速に認識させることが可能となる。
【０００８】
また、本発明に係る背面投射型表示装置は、光源ランプから射出された光を光変調手段によって光変調してその背面側から投射してスクリーンに表示画面を表示可能に構成された背面投射型表示装置であって、前記光源ランプよりも点灯開始時の輝度の上昇率が大きく、かつ、射出した光が前記光変調手段を通過せずに前記スクリーンの背面側に到達可能に設置された補助灯と、前記光源ランプおよび前記補助灯の点灯を制御する制御部とを備え、前記制御部は、当該背面投射型表示装置の電源投入時に前記光源ランプおよび前記補助灯の双方を点灯させると共に、前記光源ランプの輝度が前記スクリーンに前記表示画面を投射表示可能な輝度に達した後に当該補助灯を消灯させる。
【０００９】
この背面投射型表示装置では、制御部が、電源投入時において、光源ランプおよび補助灯の双方を点灯させる。この場合、光源ランプが表示画面を投射表示可能な輝度に達しても補助灯の輝度を絞った状態で（輝度を低下させた状態で）点灯させておくことにより、電源スイッチの操作が正常に受理されたことを利用者に確実かつ迅速に認識させることが可能となる。
【００１０】
さらに、本発明に係る背面投射型表示装置は、上記の背面投射型表示装置において、前記制御部は、前記補助灯を点灯させてから消灯させるまでの間に当該補助灯の輝度を徐々に低下させる。
【００１１】
この背面投射型表示装置では、制御部が、補助灯を点灯させた後に、その輝度を徐々に低下させて消灯させる。したがって、点灯状態の補助灯を一気に消灯させる構成とは異なり、利用者に対して、違和感を与えることなく、電源スイッチの操作が正常に受理されたことを認識させることが可能となる。
【００１２】
【発明の実施の形態】
以下、添付図面を参照して、本発明に係る背面投射型表示装置の好適な発明の実施の形態について説明する。
【００１３】
図１に示すテレビジョン装置１は、本発明に係る背面投射型表示装置の一例であって、ランプドライバ２、光源ランプ３、液晶ライトバルブ４、投射レンズ５、スクリーン６、ＴＶチューナ７、表示制御部８、ライトバルブ駆動部９、音声制御部１０、アンプ１１、スピーカ１２、補助灯駆動回路１３、補助灯１３ａおよび主制御部１４を備えて、各種の表示画面を表示可能に構成されている。また、テレビジョン装置１は、図示しない電源部、操作部（電源スイッチやチャネル選択ボタン等）、リモートコントローラおよび映像信号入力部などを備えている。
【００１４】
ランプドライバ２は、主制御部１４の制御に従い、光源ランプ３に対する電源の供給またはその供給停止を行うことにより、光源ランプ３の点灯（通電開始）および消灯（通電停止）を制御する。光源ランプ３は、一例として高圧水銀ランプで構成され、ランプドライバ２の制御に従って点灯させられて白色光を射出する。液晶ライトバルブ４は、本発明における光変調手段に相当し、液晶パネル、入射側偏光板および射出側偏光板を備えて構成され、光源ランプ３によって射出された白色光をライトバルブ駆動部９の制御に従って陰影や着色が施された投射光Ｌに光変調する。投射レンズ５は、液晶ライトバルブ４によって光変調された投射光Ｌを拡大してスクリーン６の背面側に向けて投射する。この場合、図３に破線で示すように、投射レンズ５によって拡大された投射光Ｌは、テレビジョン装置１の筐体内部に配設された反射ミラー５ａによって反射されてスクリーン６に投射される。スクリーン６は、液晶ライトバルブ４によって光変調された投射光Ｌを受光して拡散または平行光に変換することにより、各種の表示画面を表示する。
【００１５】
ＴＶチューナ７は、図示しないアンテナを介してＴＶ放送波を受信して映像信号Ｓｖおよび音声信号Ｓｓを抽出して出力する。表示制御部８は、ＴＶチューナ７によって出力された映像信号Ｓｖに基づいて、例えばＲＧＢ形式の映像信号を生成してライトバルブ駆動部９に出力する。ライトバルブ駆動部９は、表示制御部８によって出力された映像信号に応じて液晶ライトバルブ４を駆動することにより、液晶ライトバルブ４に対して上記の光変調を実行させる。音声制御部１０は、ＴＶチューナ７によって出力された音声信号Ｓｓのうちから、映像の表示と共に放音する音声（一例として、主音声および副音声のいずれか）に関する音声信号を抽出して出力する。アンプ１１は、音声制御部１０によって出力された音声信号を増幅して出力する。スピーカ１２は、アンプ１１によって増幅された音声信号に基づく各種音声を放音する。
【００１６】
補助灯駆動回路１３は、主制御部１４と相俟って本発明における制御部を構成し、補助灯１３ａに対する電源供給量を変化させつつ補助灯１３ａを駆動する。具体的には、図２に示すように、補助灯駆動回路１３は、例えば、スイッチ２１、電源供給用のトランジスタ２２、コンデンサ２３および抵抗２４，２５を備えて構成されている。ここで、スイッチ２１は、電源投入時に主制御部１４から出力される電源制御信号Ｓｐによってオン状態に制御されてトランジスタ２２に電源を供給する。トランジスタ２２は、供給された電源の補助灯１３ａへの供給を制御する。コンデンサ２３および抵抗２４，２５は時定数回路を構成し、トランジスタ２２を介して補助灯１３ａに供給する電源のその供給時間を規定する。この場合、コンデンサ２３および抵抗２４，２５による時定数は、一例として１０秒程度に規定されている。したがって、トランジスタ２２から出力されるコレクタ電流は、電源投入時から比較的短時間で最大となり、その後、徐々に減少し、１０秒後には、ほぼ０アンペアとなる。補助灯１３ａは、点灯開始時の輝度上昇率が大きい（短時間で輝度が上昇する）ランプ（一例として、タングステン球や発光ダイオード等）で構成されて、点灯時には青白い投射光Ｌｓを射出する。この場合、補助灯１３ａは、点灯時に射出した投射光Ｌｓが反射ミラー５ａを介してスクリーン６の背面側に直接的に（液晶ライトバルブ４や投射レンズ５を通過せずに）到達するように設置されている。
【００１７】
主制御部１４は、ランプドライバ２、ＴＶチューナ７、表示制御部８および音声制御部１０などのテレビジョン装置１全体の動作を統括的に制御すると共に、上記したように電源制御信号Ｓｐを出力して補助灯駆動回路１３による補助灯１３ａの駆動を制御する。
【００１８】
このテレビジョン装置１では、装置本体に配設された電源スイッチが利用者によって操作されて電源が投入された際に、まず、主制御部１４がランプドライバ２に光源ランプ３に対する通電を開始させる旨を指示する制御信号を出力する。これに応じて、ランプドライバ２は、光源ランプ３に対する通電を開始する。また、主制御部１４は、補助灯駆動回路１３に電源制御信号Ｓｐを出力する。この際には、補助灯駆動回路１３において、スイッチ２１が例えば１５秒間程度オン状態に維持されることにより、トランジスタ２２が、上記したように、コレクタ電流を１０秒間だけ供給する。この結果、上記したように、補助灯駆動回路１３から補助灯１３ａに電源が供給されて補助灯１３ａが点灯させられる。この場合、図３に一点鎖線で示すように、補助灯１３ａから射出された投射光Ｌｓは、反射ミラー５ａによって反射されてスクリーン６に背面側から直接的に投射される。この結果、電源ボタンを操作した直後からスクリーン６全体が青白く光って視認されるため、利用者は、電源スイッチを操作した時点で、テレビジョン装置１によって電源投入操作が受理された（電源投入が完了した）と認識する。
【００１９】
一方、図４に破線で示すように、電源投入に伴って通電が開始された光源ランプ３の輝度は、通電開始から１０秒程度が経過した時間ｔ１の時点でスクリーン６に投射表示される表示画面を表示可能な輝度レベルＢ１（光がスクリーン６に投射されていることを認識可能なレベル）以上に上昇し、その後に３０秒程度経過した時間ｔ２の時点で表示画面をはっきりと認識可能な輝度レベルＢ２にまで上昇する。また、同図に一点鎖線で示すように、補助灯１３ａの輝度は、電源投入直後に比較的短時間で輝度レベルＢ１にまで上昇した後に、徐々に輝度レベルが低下して通電開始から１０秒程度が経過した時間ｔ１の時点で、その輝度レベルがゼロ（消灯状態）となる。したがって、光源ランプ３によって射出された投射光Ｌと、補助灯１３ａによって射出された投射光Ｌｓとが投射されているスクリーン６の見かけ上の明るさは、同図に実線で示すように、投射光Ｌと投射光Ｌｓとを合成した明るさとなるため、電源投入直後に比較的短時間で輝度レベルＢ１にまで上昇し、その後は、時間ｔ２の時点で表示画面をはっきりと認識可能な輝度レベルＢ２にまで徐々に上昇する。この際に、同図に二点鎖線で示すように、光源ランプ３の輝度が輝度レベルＢ１に達しても、補助灯１３ａの輝度を低下させながら点灯させておくこともできる。この場合には、スクリーン６の見かけ上の明るさが同図に荒い波線で示すように変化する。
【００２０】
一方、ＴＶチューナ７は、電源が投入された際にＴＶ放送波の受信を開始して映像信号Ｓｖおよび音声信号Ｓｓを抽出すると共に、表示制御部８に映像信号Ｓｖを出力し、音声制御部１０に音声信号Ｓｓを出力する。この際に、表示制御部８は、ＴＶチューナ７によって出力された映像信号Ｓｖに基づいてＲＧＢ形式の映像信号を生成してライトバルブ駆動部９に出力する。これに応じて、ライトバルブ駆動部９は、光源ランプ３によって射出された白色光を表示画面表示用の投射光Ｌに光変換する。これにより、投射レンズ５によって拡大された投射光Ｌがスクリーン６に投射されて、映像信号Ｓｖに対応する表示画面がスクリーン６に投射表示される。また、音声制御部１０が、ＴＶチューナ７によって出力された音声信号Ｓｓのうちから例えば主音声に対応する音声信号を出力する。これにより、音声制御部１０によって出力された音声信号がアンプ１１によって増幅されて、この例では主音声がスピーカ１２から放音される。
【００２１】
このように、このテレビジョン装置１によれば、電源投入時に光源ランプ３および補助灯１３ａの双方を点灯させることにより、電源投入直後から補助灯１３ａによって射出された投射光Ｌｓによってスクリーン６が明るく視認されるため、電源スイッチの操作がテレビジョン装置１に受理されたか否かを利用者に対して確実かつ迅速に認識させることができる。この場合、光源ランプ３の輝度が表示画面を表示可能な輝度に達する以前に補助灯１３ａを消灯させることにより、補助灯１３ａから射出された投射光Ｌｓによる表示画面の表示が妨げられる事態を回避することができる。また、光源ランプ３の輝度が表示画面を表示可能な輝度に達した後に補助灯１３ａを消灯させることにより、補助灯１３ａによって射出された投射光Ｌｓによってスクリーン６が一層明るく視認される結果、電源スイッチの操作がテレビジョン装置１に受理されたか否かを利用者に対して一層確実に認識させることができる。
【００２２】
さらに、補助灯１３ａの消灯に際してその輝度を徐々に低下させる構成を採用したことにより、点灯状態の補助灯１３ａを一気に消灯させる構成とは異なり、利用者に違和感を与えることなく、電源スイッチの操作がテレビジョン装置１に受理されたか否かを認識させることができる。さらに、射出された投射光Ｌｓが液晶ライトバルブ４を通過せずにスクリーン６の背面側に到達するように補助灯１３ａを設置したことにより、輝度上昇率が互いに異なる２つのランプを光源用ランプとして配設する構成とは異なり、プリズムや反射ミラーなどを不要にできるため、製造コストの高騰および装置の大形化を回避することができる。また、補助灯１３ａが青白い投射光Ｌｓを射出することにより、表示画面の非表示状態でスクリーン６に表示されるブルースクリーンを見慣れた利用者に対して、電源投入完了の事実を違和感なく認識させることができる。さらに、ハロゲンランプ等を投射表示用の光源として使用する構成とは異なり、光源ランプ３によって射出された光によって表示画面を鮮明に表示させることができる。
【００２３】
なお、本発明は、上記した本発明の実施の形態に限定されない。例えば、本発明の実施の形態では、タングステン球や発光ダイオード等で補助灯１３ａを構成した例について説明したが、本発明はこれに限定されず、点灯開始時の輝度上昇率が大きい各種のランプを採用して構成することができる。また、本発明の実施の形態では、装置本体に配設された電源スイッチが操作された際に補助灯１３ａを点灯させる例について説明したが、リモートコントローラを使用して電源が投入された際にも、同様にして補助灯１３ａを点灯させることができる。
【図面の簡単な説明】
【図１】テレビジョン装置１の構成を示すブロック図である。
【図２】補助灯駆動回路１３の構成を示す回路図である。
【図３】テレビジョン装置１の構成を示す側面断面図である。
【図４】光源ランプ３および補助灯１３ａの輝度レベルの変化とスクリーン６の見かけ上の明るさとの関係を示す図である。
【符号の説明】
１  テレビジョン装置、２  ランプドライバ、３  光源ランプ、４  液晶ライトバルブ、５  投射レンズ、６  スクリーン、８  表示制御部、９  ライトバルブ駆動部、１３  補助灯駆動回路、１３ａ  補助灯、１４  主制御部、Ｌ，Ｌｓ投射光、Ｓｐ  電源制御信号
【図１】
2004271726.tif 000003
【図２】
2004271726.tif 000004
【図３】
2004271726.tif 000005
【図４】
2004271726.tif 000006